(57)【特許請求の範囲】
【請求項１】
誘導路に沿って間隔をあけて配置され，音波を発生する複数の音源装置と，
これらの音源装置から発生する音波のタイミング，音量および周波数のうちの少なくともタイミングおよび音量を制御する制御装置とから構成され，
制御装置は，複数の音源装置から発生する音波が音像を形成し，この音像が誘導路に沿って移動するように，音源装置から発生する音波の音量のピークを音像の移動の方向に減衰させることを特徴とする，
音像移動による誘導システム。
【請求項２】
発生する音波は，非整数倍音であることを特徴とする請求項１に記載の音像移動による誘導システム。
【請求項３】
発生する音波は，連続音であることを特徴とする請求項１または２に記載の音像移動による誘導システム。
【請求項４】
発生する音波は，非連続音であることを特徴とする請求項１または２に記載の音像移動による誘導システム。
【請求項５】
上記制御装置は，音源装置から発生する音波の周波数を音像の移動の方向に上昇させることを特徴とする，請求項１から４のいずれか一項に記載の音像移動による誘導システム。
【請求項６】
上記制御装置は，音像の移動周期を変化させるように制御することを特徴とする，請求項１から５のいずれか一項に記載の音像移動による誘導システム。
【請求項７】
上記制御装置は，音像の形成に用いる周波数帯域として，案内放送の周波数と重ならない周波数帯域を用いることを特徴とする，請求項１から６のいずれか一項に記載の音像移動による誘導システム。
【請求項８】
上記制御装置が上記音源装置ごとに設けられ，
上記制御装置は，ネットワークインターフェイスを備え，ネットワークに接続されている，
請求項１から７のいずれか一項に記載の音像移動による誘導システム。
【発明の詳細な説明】
【０００１】
【技術分野】
本発明は，音像の移動により聴覚によって人に方向を示すための誘導システムに関する。
【０００２】
【従来の技術とその問題点】
建物等の施設内または屋外において，人に特定の方向を指示するには，案内矢印や電光掲示板，燈火の明滅など視覚に訴える方法と，案内放送など論理的な説明による方法等がある。
【０００３】
しかしながらこれら従来方法のうち，視覚による方法では，誘導対象者が方向を指示する表示等を視認することが前提であるため，周囲の環境や誘導対象者の意識状態により見落としが発生し易い。また当然ながら視覚障害者に対しては有効ではなく，さらに火災発生時の煙など視覚が機能しない環境下では全ての人に対して有効に働かない。
【０００４】
また論理的な説明による方法では，放送等で聴覚による伝達を行えば，視覚による方法の欠点を補うことが可能であるが，誘導経路が複雑な場合や思考力が低下する火災時などのパニック状態には有効に働かない。
【０００５】
【発明の開示】
本発明は上記した問題点に鑑みてなされたものであり，視覚に比して有効性が高く知覚され易いという特長を持つ聴覚を利用し，人に認識され易くかつ適切な誘導を行う事ができる誘導システムを提供することを目的とする。
【０００６】
本発明による誘導システムは，複数の音源装置とこれを制御する制御装置とから構成される。音源装置は誘導経路方向に沿って間隔をおいて離散的に配置される。制御装置は，各音源装置から発する音波を制御して音像を形成し，さらに各音源装置の音量を時系列に順次調節することにより任意の方向に音像を移動して，これによって被誘導者に誘導方向を指示する。
【０００７】
ここで，音像とは，例えばステレオ音楽再生における楽器位置の再現のように，聴覚が空間上のある地点に存在するかのように知覚する仮想の音源である。また，音像の移動とは，知覚されるこの仮想的な音源の存在位置を時間の経過と共に空間的に移動させることである。
【０００８】
このような構成により，被誘導者は聴覚だけに依存しながらも方向を明確に認識することができ，複数の音源装置を誘導経路に適宜配置することで，任意の地点への誘導を行うことができる。
【０００９】
聴覚は視覚を補完する機能として有効性が高く，常に外界の情報に対しオープンな状態にあるため，人に知覚されやすいという特長を持つ。また言語以外の音は一般に直感的に人に受容されるため，パニック状態のように心理的に不安定で論理的思考力が低下している状態でも音に含まれる情報を感覚的に掴む事ができる。このため本発明によれば，様々な状況下で幅広い人々に，識別し易く理解し易い誘導システムを構築することが可能である。
【００１０】
また，音像を形成するために音源装置から発する音波は，反射による方向感の消失が起き難い，例えばウィンドチャイム，鐘などの非整数倍音からなる音から構成することにより，より明確に方向を知覚させるようにできる。
【００１１】
人間の感覚において，周波数が次第に高くなる音には上昇感を感じ，また低周波は太く高周波は細いといった物理量との対応感を持つなど，人は周波数が高くなる音の方向に方向性を感じる。そこで，この発明の一実施形態では，制御装置は，音像を形成して移動させるときに，音像の移動方向に，移動に伴なって音の周波数が上昇するように各音源装置を制御する。これにより，より明確に音像の移動方向を知覚させるようにできる。
【００１２】
また，人間の感覚において，音量が次第に小さくなる音には，音源が遠ざかって行く感覚を持つ。そこで，この発明の一実施形態では，制御装置は，音像を形成して移動させるときに，音像の移動方向に，移動に伴なって音の音量が減衰するように各音源装置を制御する。これにより，より明確に音像の移動方向を知覚させるようにできる。
【００１３】
さらに，音には，例えばピアノの個々の打鍵音のような非連続音と，ハープの全ての弦をかき鳴らすグリッサンドのような連続音がある。音像の形成と移動のために各音源装置から発する音波は，連続音と非連続音のどちらで構成してもよいが，連続音から構成する方がより滑らかな音像の移動感を得ることができる。
【００１４】
また，制御装置は，各音源装置を制御して音像を形成し移動させるときに，設置されている場所や状況に応じて音像の移動周期を変化させるようにして，被誘導者に対し緊急性や最終目的地までの距離等を伝達するよう構成してもよい。
【００１５】
さらに，音像を形成して移動するために音源装置から発する音波は人声に比べて高い周波数が好ましい。他方，音像による誘導は感覚的処理を行う右脳による処理，人声の認識は論理的処理を行う左脳による処理である。そこで，この発明の一実施形態では，制御装置は，音像を形成して移動するための音波に加えて，人声による誘導のアナウンスを上記の複数の音源装置のいずれか一つ，もしくは複数から，または他の音源装置から発するよう構成する。こうすることにより，周波数的にも知覚心理的にも誘導のより優れた効果を得ることができる。
【００１６】
制御装置は，誘導を行う必要がない状態では，音源装置を利用して環境音や環境音楽を流すことにより空間のアメニティを高めるようにしてもよい。また，音源装置に加えて，例えば，燈火による方向の指示装置や風向による方向の指示装置など他のメディアによる指示手段を組み合わせて構成してもよい。
【００１７】
また，制御装置を音源装置ごとに設け，制御装置にネットワークインターフェイスを設けるようにしてもよい。
【００１８】
【実施例】
以下，図面を参照しながら本発明の実施の形態につき詳細に説明する。
【００１９】
はじめに，離散的に複数配置した音源装置を使用して，音像を形成して移動する方法を説明する。図１は音源装置および後に説明する誘導燈の配置例である。誘導路（通路１）に沿って，間隔をあけて音源装置２および誘導燈３が配置されている（位置Ｘ1 〜Ｘ6 ）。誘導方向４に音像を移動させることにより，非誘導者に方向を指示する。
【００２０】
ここで，各音源装置２の配置は必ずしも等間隔でなくてもよい。この場合，制御装置は，音源装置２の間隔それぞれに対応した音波の制御（タイミング，音量，周波数の制御）を行うように構成する。また，図１において，誘導路は通路または通路１に沿って設定されているが，通路１が存在しない場所，例えば広場などにおいては，音源装置２を配置することによって誘導路を形成するようにしてもよい。
【００２１】
次に，図２は，連続音を用いる場合の，時間と音源装置から発生する音の音量の変化を示している。位置Ｘ1 ，Ｘ2 ，Ｘ3 ，Ｘ4 ，Ｘ5 ，Ｘ6 のそれぞれに合計６個の音源装置が存在し，音源装置から出力する音の波形はすべて同じで，音量だけが時間とともに変化するものと仮定している。
【００２２】
まず，時間Ｔ1 で位置Ｘ1 の音源装置から音量Ｐの音を発し，時間Ｔ2 で音量０になるようこれを下げて行く。次いで位置Ｘ2 の音源装置では，音量０から時間Ｔ2 で音量がＰとなるようこれを上げて行く。この操作により，時間Ｔ1 からＴ2 の間に，位置Ｘ1 から位置Ｘ2 へ移動する音像を形成することができる。以降同様に，時間Ｔ2 で音量Ｐとなっている位置Ｘ2 の音源装置の発生音量を，時間Ｔ3 で音量０になるようこれを下げて行き，次いで位置Ｘ3 の音源装置では，時間Ｔ2 で音量０の状態から時間Ｔ3 で音量がＰとなるようこれを上げて行く，という操作を順次繰り返すことにより，位置Ｘ1 から位置Ｘ6 まで移動して行く音像を形成することができる。
【００２３】
さらに，非誘導者に誘導方向を随時示すためには，前記した位置Ｘ1 から位置Ｘ6 までの音像の移動を，一定の間隔をおいて繰り返し行う必要がある。これを図３に示す。時間Ｔ1 からＴ7 で音像移動の１サイクルが終了し，続いて時間（Ｔ8 −Ｔ7 ）後に，新しい音像移動のサイクルを時間Ｔ8 からＴ14で行っている。以降これを繰り返して誘導方向を指示する。
【００２４】
前記した音像を形成して移動させるための基本操作に加えて，図４に示すように，音源装置から発する音波信号の周波数を，音像の移動と共にｆ1 からｆ2 に上げて行くことにより，人が感じる音像の移動感覚を強めることができる。さらに，これら操作に加えて図５に示すように各位置における音量のピークを音像の移動とともに当初の値Ｐより小さい値に減衰させて行くことによっても，音像がより遠方に移動しているかのような効果を与えることができて，人が感じる音像の移動感覚を強めることができる。
【００２５】
同様に，図６は，非連続音を用いる場合の，時間と各音源装置から発生する音の音量の変化を示している。位置Ｘ1 ，Ｘ2 ，Ｘ3 ，Ｘ4 ，Ｘ5 ，Ｘ6 のそれぞれに合計６個の音源装置が存在し，音源装置から出力する音の波形はすべて同じで（パルス状の音），音波を発するタイミングだけが異なるものと仮定している。
【００２６】
まず，位置Ｘ1 の音源装置から音量Ｐの音を時間Ｔ1 からΔＴの間発し，次いで位置Ｘ2 の音源装置では，時間Ｔ2 から音量がＰの音をΔＴの間発する。この操作により，時間Ｔ1 ，Ｔ2 で，位置Ｘ1 から位置Ｘ2 へ離散的に移動した音像を形成することができる。以降同様に，位置Ｘ3 ，Ｘ4 ，Ｘ5 ，Ｘ6 の音源装置からそれぞれ時間Ｔ3 ，Ｔ4 ，Ｔ5 ，Ｔ6 で，音量Ｐの音をΔＴの間順次発することで，位置Ｘ1 から位置Ｘ6 まで離散的に移動して行く音像を形成することができる。
【００２７】
さらに，非誘導者に誘導方向を随時示すためには，前記した位置Ｘ1 から位置Ｘ6 までの離散的な音像の移動を，一定の間隔をおいて繰り返し行う必要がある。これを図７に示す。時間Ｔ1 からＴ6 ＋ΔＴで音像移動の１サイクルが終了し，続いて時間〔Ｔ8 −（Ｔ6 ＋ΔＴ）〕後に，新しい音像移動のサイクルを時間Ｔ8 からＴ13＋ΔＴで行っている。以降これを繰り返して誘導方向を指示する。
【００２８】
前記した音像を形成して移動させるための基本操作に加えて，図８に示すように，音源装置から発する音の周波数を，音像の移動と共にｆ1 からｆ2 に上げて行くことにより，人が感じる音像の移動感覚を強めることができる。さらに，これら操作に加えて図９に示すように音量のピークを音像の移動とともに当初の値Ｐより小さい値に減衰させて行くことによっても，音像がより遠方に移動しているかのような効果を与えることができて，人が感じる音像の移動感覚を強めることができる。
【００２９】
音源装置と音源装置の間にも音像を定位させたい場合には，連続音の場合と同様に隣接する音源装置から出力する音量を調節すればよい。
【００３０】
ここでは，音像を形成して移動させるための簡単な方法を説明したが，複数の音源装置の出力を制御したり，ＤＳＰ（Digital Signal Processor）によるサラウンド技術等を用いて，より良好な音像移動手段を構成することも可能である。
【００３１】
続いて，誘導システムの具体的装置構成について説明する。
【００３２】
〈第１の実施形態〉
図10に誘導システムの第１の実施形態を示す。制御装置11は，ＭＩＤＩ  Ｉ／Ｆ17を介してＭＩＤＩサンプラー12と接続されている。ＭＩＤＩサンプラー12には６チャネルの出力があって，各チャネルに音をそれぞれを送出するためのアンプ14およびスピーカ15が接続されている。スピーカ15から発する音波が，図２から図９を用いて説明した位置Ｘ1 から位置Ｘ6 の音源装置から発する音波に対応する。
【００３３】
制御装置11は外部Ｉ／Ｆ19を介して端末装置13と接続可能である。端末装置13において，送出するＭＩＤＩ信号の設定を行うことができるし，外部Ｉ／Ｆ19を介して，他の外部装置から誘導開始の信号を制御装置11に与えることができる。
【００３４】
制御装置11は，主に，ＭＰＵ16，ＭＩＤＩ  Ｉ／Ｆ17，メモリ18および外部Ｉ／Ｆ19から構成されている。ＭＰＵ16は外部Ｉ／Ｆ19を介して制御プログラムと音の種類，基本周波数，基本音量，周波数の時間変化および音量の時間変化などの設定パラメータを受信し，メモリ18に保持する。制御プログラムは誘導を開始すると，ＭＩＤＩ  Ｉ／Ｆ17を介して，ＭＩＤＩサンプラー12に対し，Ｃｈ１からＣｈ６の各チャネルごとに音色（波形），音程（周波数），音量のパラメータを設定したＭＩＤＩ信号を送出して音波を発生させ，音像を移動させる。
【００３５】
図４に，例示した音像の移動，すなわち連続音を用いて位置Ｘ1 からＸ6 に音像を移動させ，かつ周波数の上昇効果を加える場合の，各チャネルに送出するＭＩＤＩ信号パラメータの制御方法について説明を行う。各チャネルに必要なパラメータは上記のように音色，音程，音量であるため，時間ｔにおける各チャネルのパラメータベクトルを，
Ｃｈｎ（ｔ）＝（音色，周波数，音量）
で表すものとする。誘導開始後の経過時間をｔとすると，そのときの音波の周波数Ｆ（ｔ）は，
Ｆ（ｔ）＝ｆ1 ＋｛（ｆ2 −ｆ1 ）÷（Ｔ7 −Ｔ1 ）｝×ｔ
で表すことができる。ここで，各チャネルとも共通に音色Ｏ（特定の音色を符号Ｏで表現する）を用いるものとし，時間ｔにおけるチャネルｎの音量をＰｎで表すとすると，時間ｔにおける各チャネルの送出パラメータは次のようになる。
チャネル１は，
Ｐ１（ｔ）＝Ｐ−Ｐ÷（Ｔ2 −Ｔ1 ）×ｔ
但し，Ｔ1 ＜ｔ＜Ｔ2
Ｐ１（ｔ）＝０                        但し，ｔ≦Ｔ1 ，Ｔ2 ≦ｔ
Ｃｈ１（ｔ）＝（Ｏ，Ｆ（ｔ），Ｐ１（ｔ））
チャネル２から６は，
ｍ＝｛２，３，４，５，６｝
Ｐｍ（ｔ）＝Ｐ÷（Ｔm −Ｔm-1 ）×（ｔ−Ｔm-1 ）
但し，Ｔm-1 ＜ｔ≦Ｔm
Ｐｍ（ｔ）＝Ｐ−Ｐ÷（Ｔm+1 −Ｔm ）×（ｔ−Ｔm ）
但し，Ｔm ＜ｔ＜Ｔm+1
Ｐｍ（ｔ）＝０                        但し，ｔ≦Ｔm-1 ，Ｔm+1 ≦ｔ
Ｃｈｍ（ｔ）＝（Ｏ，Ｆ（ｔ），Ｐｍ（ｔ））
【００３６】
また，端末装置13はユーザインターフェース（図示略）および外部インターフェイス（図示略）を有する，例えばパソコンにより実現され，音の種類，基本周波数，基本音量，周波数の時間変化，音量の時間変化などＭＩＤＩ信号生成に必要な設定および制御プログラムを制御装置11に送信する。
【００３７】
〈第２の実施形態〉
図11に本発明の第２の実施形態を示す。第２の実施形態は，第１の実施形態に，音像の移動方向に順次点灯して誘導方向を示す誘導燈を付加したものである。ここで，音源装置であるスピーカ25および誘導燈30の配置は，図１に示す音源装置２および誘導燈３と同様の配置となる。誘導燈30は制御装置21からＩ／Ｏ31を介してＯＮ／ＯＦＦを制御され，音像の移動する方向すなわち誘導方向と誘導燈が順次点灯して示す方向が同じになるよう制御される（たとえば，各音源装置の出力音量がピークを示す時点付近で対応する誘導燈が点灯する）。
【００３８】
図６に示す例を参照して，非連続音を用いて音像を移動させる場合に，誘導燈30を点灯するタイミングについて説明する。図６および図11において，位置Ｘ1 からＸ6 はチャネルＣｈ１からＣｈ６に対応するものとする。誘導燈30は同じチャネルの音源装置が音波を発している間点灯するようにする。すなわち，Ｃｈ１の誘導燈は時間Ｔ1 からΔＴの間点灯し，Ｃｈ２の誘導燈は時間Ｔ2 からΔＴの間点灯するという制御を，各チャネルについて順次繰り返す。
【００３９】
〈第３の実施形態〉
図12に本発明の第３の実施形態を示す。図12において，ウィンドチャイム42は通路51に沿って離散的に配置され，送風機50は通路方向に送風が行えるよう配置されている。制御装置41はＩ／Ｏ47を介して，自動打鍵装置45および送風機50と接続されており，自動打鍵装置45は，スティック44を駆動してウィンドチャイム42をそれぞれ打鍵する。この装置は，音程の異なる個々のウィンドチャイム42を順次打鍵することで，音像を形成し，その音像が誘導方向52に移動して誘導の方向を示し，付帯的なメディアとして送風機50により誘導方向に送風を行って方向の指示を強化するものである。
【００４０】
また，制御装置41は外部Ｉ／Ｆ49を介して端末装置43と接続可能であり，端末装置43を接続して自動打鍵装置45および送風機50の制御方法の設定を行う。制御装置41はまた外部Ｉ／Ｆ49を介して，他の外部の装置から誘導開始の信号を受け取ることができる。
【００４１】
制御装置41は，主に，ＭＰＵ46，Ｉ／Ｏ47，メモリ48および外部Ｉ／Ｆ49から構成され，ＭＰＵ46は外部Ｉ／Ｆ49を介して制御プログラムと打鍵の強さおよび打鍵の間隔などの設定パラメータを受信しメモリ48に保持すると共に，設定パラメータにしたがって誘導の開始，停止を行う。さらに，誘導開始後は指定した強さで送風を行うよう送風機50に信号を送出する。
【００４２】
また，端末装置43はユーザインターフェース（図示略）および外部インターフェイス（図示略）を有する，例えばパソコンにより実現され，打鍵の順序と速度など打鍵装置45の制御に必要な設定および制御プログラムを制御装置41に送信する。
【００４３】
〈第４の実施形態〉
図13に本発明の第４の実施形態を示す。この装置は，主に，設定用端末装置63，ネットワーク式音源装置62およびネットワーク式誘導燈装置61から構成される。本実施例は，個々にネットワークインターフェイスを持つ装置で構成された多目的なネットワークシステムに，音像移動による誘導システムを搭載したものであり，各装置間で通信を行うことにより自律的に動作できる。また，ネットワーク式音源装置62およびネットワーク式誘導燈61の配置は，図１に戻って，同一系統ごとに音源装置２および誘導燈３と同様の配置となる。
【００４４】
ここで，用語「ノード」をネットワークに接続されている装置の総称とすると，本実施例を構成する設定用端末装置63，ネットワーク式音源装置62，ネットワーク式誘導燈装置61，ネットワーク式センサ64およびネットワーク式空調装置66は，それぞれ固有の機能を持つノードの一つである。それぞれのノードはネットワークインターフェイスとＭＰＵおよび記憶領域を持ち，予め設定された手順に従った動作を行い，このとき，他のノードの状態を参照するなどノード間の通信を行って，それぞれが自律的に連携して動作する。
【００４５】
設定用端末装置63は，ユーザインターフェイス（図示略）とネットワークインターフェイス（図示略）を持ち，例えばパーソナルコンピュータによって実現され，各ノードの状態モニタや，各ノードへのデータ，制御プログラム，コマンドの送受信機能を有する。
【００４６】
図14にネットワーク式音源装置62の構成例を示す。本装置62は予めプログラム記憶部83に保持しているプログラムに加えて，ネットワークインターフェイス81を介して制御プログラムを動的にダウンロードし，これをプログラム記憶部83に保持でき，これらプログラムによりＭＩＤＩ音源部87，音声合成部90を制御して任意の楽音および音声をスピーカ91から送出する。これらの送出に必要なＭＩＤＩデータ，音声合成パラメータは，プログラム記憶部83に予めダウンロードして保持しているものとする。さらに，波形データ記憶部84に保持している，量子化された波形データをＤ／Ａ変換部85を経由してスピーカ91から送出することもできる。また，ＭＩＤＩデータ，音声合成パラメータおよび波形データは，ネットワークの通信速度がリアルタイムでの受信および再生に必要十分である場合には，リアルタイムに受信して再生してもよい。
【００４７】
例えば，非連続音を用いて音像を移動させる場合の本実施例の動作について説明する。はじめに，設定用端末装置63を用いて，系統１からｎに分けられたネットワーク式音源装置62およびネットワーク式誘導燈装置61に対して，系統ごとに誘導方向を設定し，誘導に必要なプログラムおよびパラメータをダウンロードする。そして，誘導が開始されると，同一系統に属するネットワーク式音源装置62およびネットワーク式誘導燈装置61は次のように動作する。
【００４８】
系統１において，音像をＡ，Ｂ，Ｃのように移動させ，ＡからＣの方向に誘導を行うとすると，各ネットワーク式音源装置およびネットワーク式誘導燈の動作は次のようになる。
（１）Ａの動作
１）発音を開始。同時にネットワークを通じて，ネットワーク式誘導燈Ａをオンにする。
２）時間ΔＴ後，発音を停止。同時にネットワークを通じて，ネットワーク式誘導燈Ａをオフにする。
３）ネットワークを通じて，ネットワーク式音源装置Ｃ内の発音状況を監視し，Ｃの発音が開始されて停止してからΔＴ’後に，上記１）以降を繰り返す。
（２）Ｂの動作
１）ネットワークを通じて，ネットワーク式音源装置Ａ内の発音状況を監視する。
２）Ａの発音が開始されて停止してからΔＴ’後に発音を開始。同時にネットワークを通じて，ネットワーク式誘導燈Ｂをオンにする。
３）時間ΔＴ後，発音を停止。同時にネットワークを通じて，ネットワーク式誘導燈Ｂをオフにする。
４）１）以降を繰り返す。
（３）Ｃの動作
１）ネットワークを通じて，ネットワーク式音源装置Ｂ内の発音状況を監視する。
２）Ｂの発音が開始されて停止してからΔＴ’後に発音を開始。同時にネットワークを通じて，ネットワーク式誘導燈Ｃをオンにする。
３）時間ΔＴ後，発音を停止。同時にネットワークを通じて，ネットワーク式誘導燈Ｃをオフにする。
４）１）以降を繰り返す。
【００４９】
ネットワーク式誘導燈装置61，ネットワーク式センサ64およびネットワーク式空調装置66は一般的に使用されている装置であり，ネットワーク式誘導燈装置61は，ネットワークインターフェイスを通じて点灯のＯＮ／ＯＦＦ設定が可能な燈火であり，ネットワーク式センサ64は，ネットワークインターフェイスを通じてセンサ値が取得可能なセンサ，ネットワーク式空調装置66はネットワークインターフェイスを通じてセンサ値を取得し，これに基づいて空調制御を行う装置である。また，既設であるこれら装置の情報を，ネットワークを通じて取得することにより，例えば，火災発生位置を避けて通るような避難誘導を行うこともできる。
【００５０】
以上，本発明の実施の形態４つについて具体的に説明してきたが，本発明は上述の構成に限定されるものではない。
【００５１】
続いて，本発明の具体的な応用方法について例をあげて説明する。
【００５２】
〈第１の応用例〉
この誘導システムをホテルやデパート，または船舶などに適用した場合，緊急時の避難誘導装置として効果的なだけではなく，場所や状況に応じた楽音や環境音を流すことによって，屋内空間のアメニティを高めることが可能である。さらに，緊急時以外には，それぞれ異なる種類の音を用いてエレベータや階段，トイレなど誰もが必要とする設備への誘導を行っていれば，視覚障害者などにも行動し易いバリアフリーの空間を演出でき，さらに言語による誘導と異なり，外国人に対しても有効に機能する。
【００５３】
例えば，ビルのフロアにおける誘導を取り上げて，実際の誘導方法について説明する。
【００５４】
図15にビル内フロア配置図101 と音像移動による誘導システムの配置の様子を示す。図15の応用例では音像移動による誘導システムは系統１から系統９まで存在し，それぞれ３つの音源装置102 から構成されている。
【００５５】
図15のビル内フロア配置において火災が発生した場合に，火災の発生個所を回避して避難するための誘導例を図16に示す。図16において矢印はそれぞれの音像移動による誘導システムの誘導方向，すなわち音像の移動方向である。
【００５６】
図16の誘導では，火災発生位置103 に隣接する系統７は，火災発生位置103 と反対の方向，すなわち音源Ｃ，Ｂ，Ａの方向に音像を移動させ，その他の系統では，至近の非常口へかつ火元から遠ざかる方向に誘導を行う。
【００５７】
系統８および系統９は火災発生位置の方向以外に非常口が存在しないため，例外的に火災発生位置を超えたところにある非常口への誘導を行っている。
【００５８】
例として系統７の通路にいる人が，非常口に到達するまでを説明すると，まず系統７の誘導によって，系統６の通路に到達する。
【００５９】
続いて，系統６の誘導によってエレベータ前のＴ字路に到達するが，系統６と系統４，系統５が非同期に音像を移動している場合には，系統４と系統５のどちらの誘導に従うべきか判断がつかない。
【００６０】
そこで，各音像移動による誘導システムを統合して管理することによって，系統４の誘導を停止した状態で，系統６と系統５の誘導を順次開始して系統６と系統５の連続性を示し，その後に系統４の誘導を行えば，被誘導者を系統５先の非常口に誘導することができる。
【００６１】
〈第２の応用例〉
従来，視覚障害者に歩行者信号が横断可能であることを伝達するためには，歩行者信号が青の間，特定の楽音を送出することが行われている。しかし，この従来方法では横断が可能か否かを示すのみで方向の案内を行うことはできず，交差点など横断方向が複数ある場合，従来の案内方法は不十分なものであった。そこで，本発明を交差点における歩行者の横断方向の誘導に応用すれば，視覚障害者に適切な誘導を提供できる他，学童などに対しても歩行者信号の状態をより感覚的に伝達することが可能になり，その安全性を高めることが可能である。
【００６２】
〈第３の応用例〉
近年子供の音感教育，情操教育が注目を集めているが，子供向けの迷路遊び等に対して，本発明の第３の実施形態に示すような構成を応用すると，情感豊かな心地よいウィンドチャイムの音に耳を澄まし，体に感じる風に感覚を研ぎ澄ますことを，遊びを通して学ぶことができるため，子供の音感教育，情操教育に最適な遊戯施設を構築することができる。
【００６３】
〈第４の応用例〉
一般にテーマパーク等の遊戯施設は広大であり目的地への経路が判別し難い。そこで，緊急時や閉園時に，本発明を用いて入場者を出口方向へ誘導することにより迅速な誘導が期待できる。また，トイレなど誰もが必要とする設備への誘導を随時行ったり，イベントを行う時間にその会場となる場所への誘導を行うことで，入場者の利便性を高めた施設を構築することができる。
【図面の簡単な説明】
【図１】音源装置の配置例を示す。
【図２】連続音を用いて音像を移動させる方法を説明するための波形図である。
【図３】連続音を用いて音像を移動させこれを繰り返す方法を説明するための波形図である。
【図４】連続音を用いて音像を移動させる方法において周波数を上昇させる場合を説明するための波形図である。
【図５】連続音を用いて音像を移動させる方法において周波数を上昇させかつ減衰を行う場合を説明するための波形図である。
【図６】非連続音を用いて音像を移動させる方法を説明するための波形図である。
【図７】非連続音を用いて音像を移動させこれを繰り返す方法を説明するための波形図である。
【図８】非連続音を用いて音像を移動させる方法において周波数を上昇させる場合を説明するための波形図である。
【図９】非連続音を用いて音像を移動させる方法において周波数を上昇させかつ減衰を行う場合を説明するための波形図である。
【図１０】第１の実施例における装置の構成を示すブロック図である。
【図１１】第２の実施例における装置の構成を示すブロック図である。
【図１２】第３の実施例における装置の構成図である。
【図１３】第４の実施例における装置の構成図である。
【図１４】第４の実施例におけるネットワーク式音源装置の構成を示すブロック図である。
【図１５】ビル内の誘導に本発明を適用した場合のビルのフロア配置図である。
【図１６】ビル内の火災発生時の誘導に本発明を適用した場合の説明図である。
【符号の説明】
１，51  通路
２  音源装置
４，52  誘導方向
11，21，41  制御装置
15，25，91  スピーカ
42  ウインドチャイム
50  送付機
62  ネットワーク式音源装置
81  ネットワークインターフェイス部
82  ボードコンピュータ
【図１】
0004282139.tif 000002
【図２】
0004282139.tif 000003
【図３】
0004282139.tif 000004
【図４】
0004282139.tif 000005
【図５】
0004282139.tif 000006
【図６】
0004282139.tif 000007
【図７】
0004282139.tif 000008
【図８】
0004282139.tif 000009
【図９】
0004282139.tif 000010
【図１０】
0004282139.tif 000011
【図１１】
0004282139.tif 000012
【図１２】
0004282139.tif 000013
【図１３】
0004282139.tif 000014
【図１４】
0004282139.tif 000015
【図１５】
0004282139.tif 000016
【図１６】
0004282139.tif 000017